(57)【特許請求の範囲】
【請求項１】
ケーブルを嵌める溝部を頂部に有する頭部と該頭部に連設され該頭部よりも径小な首部とを備えた碍子に、ケーブルを前記溝部に嵌めて固定するため、線材を曲げ加工して、前記ケーブルのうちの前記碍子から一方側に延びた部分と、前記碍子から他方側に延びた部分とに巻き付けられるように構成されたケーブル用の巻付バインドであって、
前記碍子の溝部に嵌められたケーブルのうちの前記碍子から他方側に延びた部分に巻掛可能に形成された第一螺旋部を含む第一巻掛部であって、基端と先端とを有する螺旋状の第一巻掛部と、前記碍子の溝部に嵌められたケーブルのうちの前記碍子から他方側に延びた部分に巻掛可能に形成された第二螺旋部を含む第二巻掛部であって、基端と先端とを有する螺旋状の第二巻掛部と、碍子の首部を包囲可能に形成された固定部であって、前記第一巻掛部の基端に先端が連続し、かつ、碍子の首部の外周のうちの半周に沿うように配置可能な第一係合部と、前記第二巻掛部の基端に先端が連続し、かつ、前記碍子の首部の外周のうちの残りの半周に沿うように配置可能な第二係合部と、該第一係合部の基端と第二係合部の基端とに連設され且つ前記ケーブルのうちの前記碍子から一方側に延びた部分の半周以上に巻き付くループ部とを有する固定部とを備えていることを特徴とするケーブル用の巻付バインド。
【請求項２】
前記ループ部は、前記第一係合部及び第二係合部に対して折れ曲がった姿勢に成形されていることを特徴とする請求項１に記載のケーブル用の巻付バインド。
【請求項３】
前記ループ部を構成する部材が交差して構成されていることを特徴とする請求項１又は２に記載のケーブル用の巻付バインド。
【請求項４】
請求項１に記載のケーブル用の巻付バインドを用いて、ケーブルを嵌める溝部を頂部に有する頭部と該頭部に連設されて該頭部よりも径小な首部とを備えた碍子に、ケーブルを前記溝部に嵌めて固定するバインド方法であって、
前記第一係合部の基端と前記第二係合部の基端とを離間させた後に前記ケーブルのうちの前記碍子から一方側に延びた部分を前記ループ部内に挿し込み、前記第一係合部の基端と前記第二係合部の基端とを接近させた後にケーブルを碍子の溝部に嵌めるとともに、固定部の第一係合部を碍子の首部の外周のうちの半周に沿わせるように配置し、固定部の第二係合部を碍子の首部の外周のうちの残りの半周に沿わせるように配置することで前記第一係合部と前記第二係合部とで首部の外周を包囲し、第一巻掛部の第一螺旋部と第二巻掛部の第二螺旋部とをケーブルに巻き掛けることを特徴とするバインド方法。
【発明の詳細な説明】
【技術分野】
【０００１】
本発明は、電柱などに架設されるケーブルを碍子に固定するためのケーブル用の巻付バインド及びバインド方法に関する。
【背景技術】
【０００２】
ケーブルの一種である電線は、電柱に支持された腕金間に架設される。この電線を腕金間に架設するには、ケーブル用の巻付バインドによって腕金に取り付けられた碍子に電線を固定する。腕金は、１本だけが電柱に支持されるほか、２本一組で電柱を挟むようにして支持される場合がある。２本一組の各腕金にも、それぞれ碍子が取り付けられる。この各碍子は、近接して隣り合う状態となる。
【０００３】
このように近接して配置された２個の碍子のそれぞれに電線を的確に固定することができるようにした巻付バインドが提供されている（例えば特許文献１参照）。
【０００４】
この巻付バインドの説明に先立って、図５を参照しながら、碍子１００の構造について説明する。碍子１００は、腕金１に形成された孔部（採番せず）を貫通するピン部１１０と、ピン部１１０の上部に設けられた磁器製の本体部１２０とを備えている。本体部１２０は、下側から上側に胴部１２１、首部１２２、頭部１２３を備え、これらが一体的に形成されている。頭部１２３の頂部には、径方向に溝部１２４が形成されている。
【０００５】
そして、図４及び図５に示すように、巻付バインド２００は、環状に巻かれた巻回部２０３と、この巻回部２０３の一方の端部から延設した第一巻掛部２０１と、巻回部２０３の他方の端部から延設した第二巻掛部２０２とを備えている。第一巻掛部２０１と第二巻掛部２０２は、巻回部２０３から同一方向に延設され、螺旋状の巻癖が付けられている。
【０００６】
この巻付バインド２００の巻回部２０３は、碍子１００の頭部１２３の外径よりも大きくなるように一旦、拡径した後、図５に示すように、碍子１００の首部１２２に巻き付けられる。そして、電線２が各碍子１００の溝部１２４に半分程度嵌め入れられる。そして、巻付バインド２００の第一巻掛部２０１と第二巻掛部２０２が電線２に二重螺旋状に巻き付く。このようにして、電線２が巻付バインド２００によって碍子１００に固定される。
【０００７】
ただし、一方の碍子１００に電線２を固定する一方の巻付バインド２００の第一巻掛部２０１及び第二巻掛部２０２と、他方の碍子１００に電線２を固定する他方の巻付バインド２００の第一巻掛部２０１及び第二巻掛部２０２とは、相反する方向に向けられている。このように、両巻付バインド２００の第一巻掛部２０１及び第二巻掛部２０２が相反する方向に向けられることで、第一巻掛部２０１及び第二巻掛部２０２が近接して配置された碍子１００に当たることなく、電線２に巻き掛けられる。
【先行技術文献】
【特許文献】
【０００８】
【特許文献１】特開２０１２−２８０５３号公報
【発明の概要】
【発明が解決しようとする課題】
【０００９】
電線２は、碍子１００の頂部において、溝部１２４内に半分程度、嵌め入れられ、碍子１００の首部１２２に巻き付けられた巻付バインド２００によって碍子１００に固定されている。
【００１０】
しかし、電線２は、巻付バインド２００の第一巻掛部２０１及び第二巻掛部２０２の先端近傍に配置されたクランパ（図示せず）に保持されることで、第一巻掛部２０１及び第二巻掛部２０２の先端よりもさらに先側で斜め下向きに傾いた姿勢になる。したがって、電線２は、碍子１００の頂部から浮き上がり、その浮き上がる力が碍子１００の首部１２２に巻き付いている巻付バインド２００の力よりも大きくなると、電線２が碍子１００から外れてしまう。
【００１１】
そこで、本発明は、碍子の頂部で固定するケーブルを碍子から外れないようにしたケーブル用の巻付バインド及びバインド方法を提供することを課題とする。
【課題を解決するための手段】
【００１２】
本発明に係るケーブル用の巻付バインドは、ケーブルを嵌める溝部を頂部に有する頭部と該頭部に連設され該頭部よりも径小な首部とを備えた碍子に、ケーブルを前記溝部に嵌めて固定するため、線材を曲げ加工して、前記ケーブルのうちの前記碍子から一方側に延びた部分と、前記碍子から他方側に延びた部分とに巻き付けられるように構成されたケーブル用の巻付バインドであって、前記碍子の溝部に嵌められたケーブルのうちの前記碍子から他方側に延びた部分に巻掛可能に形成された第一螺旋部を含む第一巻掛部であって、基端と先端とを有する螺旋状の第一巻掛部と、前記碍子の溝部に嵌められたケーブルのうちの前記碍子から他方側に延びた部分に巻掛可能に形成された第二螺旋部を含む第二巻掛部であって、基端と先端とを有する螺旋状の第二巻掛部と、碍子の首部を包囲可能に形成された固定部であって、前記第一巻掛部の基端に先端が連続し、かつ、碍子の首部の外周のうちの半周に沿うように配置可能な第一係合部と、前記第二巻掛部の基端に先端が連続し、かつ、前記碍子の首部の外周のうちの残りの半周に沿うように配置可能な第二係合部と、該第一係合部の基端と第二係合部の基端とに連設され且つ前記ケーブルのうちの前記碍子から一方側に延びた部分の半周以上に巻き付くループ部とを有する固定部とを備えていることを特徴としている。
【００１３】
このケーブル用の巻付バインドによれば、固定部の第一係合部と第二係合部とが碍子の首部に沿うように配置された状態において、碍子から一方側に延びたケーブルに固定部のループ部が巻き付けられるとともに、碍子から他方側に延びたケーブルに第一巻掛部の第一螺旋部と第二巻掛部の第二螺旋部が巻き掛けられることにより、ケーブルが碍子の頂部から浮き上がらないようにして、碍子に固定された状態を維持することができる。
また、このケーブル用の巻付バインドによれば、碍子から前記他方側に延びたケーブルに第一巻掛部と第二巻掛部とを巻き掛けやすくすることができる。したがって、このケーブル用の巻付バインドは、近接して配置された２個の碍子のそれぞれにケーブルを固定しやすくすることができる。
【００１４】
ここで、本発明に係るケーブル用の巻付バインドの一態様として、前記ループ部は、前記第一係合部及び第二係合部に対して折れ曲がった姿勢に成形されている構成を採用することができる。
【００１５】
このケーブル用の巻付バインドによれば、第一係合部及び第二係合部が碍子の首部に沿って、碍子の溝部に嵌められたケーブルと同じ方向を向いても、ループ部が第一係合部及び第二係合部に対して折れ曲がった姿勢に成形されることにより、ループ部がケーブルに食い込んだり、ケーブルを撓めたりすることを抑制することができる。
【００１８】
また、本発明に係るケーブル用の巻付バインドのさらに異なる他態様として、前記ループ部を構成する部材が交差して構成されていてもよい。
【００１９】
このケーブル用の巻付バインドによれば、ループ部を構成する部材が交差することで構成されていることにより、前記第一係合部及び第二係合部の各基端部が近接した状態となり、第一係合部及び第二係合部が碍子の首部に沿った状態を維持して頭部から抜けないようにすることができる。
【００２０】
また、本発明に係るバインド方法は、前記ケーブル用の巻付バインドを用いて、ケーブルを嵌める溝部を頂部に有する頭部と該頭部に連設されて該頭部よりも径小な首部とを備えた碍子に、ケーブルを前記溝部に嵌めて固定するバインド方法であって、前記第一係合部の基端と前記第二係合部の基端とを離間させた後に前記ケーブルのうちの前記碍子から一方側に延びた部分を前記ループ部内に挿し込み、前記第一係合部の基端と前記第二係合部の基端とを接近させた後にケーブルを碍子の溝部に嵌めるとともに、固定部の第一係合部を碍子の首部の外周のうちの半周に沿わせるように配置し、固定部の第二係合部を碍子の首部の外周のうちの残りの半周に沿わせるように配置することで前記第一係合部と前記第二係合部とで首部の外周を包囲し、第一巻掛部の第一螺旋部と第二巻掛部の第二螺旋部とをケーブルに巻き掛けることを特徴としている。
【００２１】
このバインド方法によれば、固定部のループ部に巻き付けられたケーブルを碍子の溝部に嵌めた状態において、固定部の第一係合部及び第二係合部が碍子の首部に沿うように包囲し、第一巻掛部及び第二巻掛部がケーブルに巻き掛けられる。したがって、碍子の溝部に嵌められたケーブルは、ループ部及び第一巻掛部と第二巻掛部とに保持されることで、碍子の溝部から浮き上がろうとする力が作用しても、碍子に固定された状態を維持する。
【発明の効果】
【００２２】
本発明によれば、碍子の頂部で固定するケーブルを碍子から外れないようにしたケーブル用の巻付バインド及びバインド方法を提供することができる。
【図面の簡単な説明】
【００２３】
【図１】図１は、本発明に係るケーブル用の巻付バインドの一実施形態であって、図１（ａ）は使用していない状態を示す平面図、図１（ｂ）は同じく正面図である。
【図２】図２は、本発明に係るケーブル用の巻付バインドの一実施形態であって、使用する途中の状態を示す正面図である。
【図３】図３は、本発明に係るケーブル用の巻付バインドの一実施形態であって、図３（ａ）は使用している状態を示す平面図、図３（ｂ）は同じく正面図である。
【図４】図４は、従来のケーブル用の巻付バインドの一例を示す平面図である。
【図５】図５は、従来のケーブル用の巻付バインドを使用している状態を示す正面図である。
【発明を実施するための形態】
【００２４】
本発明に係るケーブル用の巻付バインド及びバインド方法の一実施形態について図１ないし図３を参照しながら説明する。
【００２５】
この巻付バインドは、図３に示すように、電線、電話線、光ファイバーケーブル、その他のケーブル３を嵌める溝部１２４を頂部に有する頭部１２３と該頭部１２３に連設され該頭部よりも径小な首部１２２とを備えた碍子１００に、ケーブル３を前記溝部１２４に嵌めて固定するため、線材を曲げ加工したものである。
【００２６】
そして、この巻付バインドは、図１に示すように、碍子１００の溝部１２４に嵌められたケーブル３に巻掛可能に形成された第一螺旋部１１を含む第一巻掛部１０であって、基端１２と先端１３とを有する螺旋状の第一巻掛部１０と、前記碍子１００の溝部１２４に嵌められたケーブル３に巻掛可能に形成された第二螺旋部２１を含む第二巻掛部２０であって、基端２２と先端２３とを有する螺旋状の第二巻掛部２０と、碍子１００の首部１２２に包囲可能に形成された固定部３０であって、前記第一巻掛部１０の基端１２と前記第二巻掛部２０の基端とにそれぞれ連続し、かつ、碍子１００の首部１２２に沿うように配置可能な第一係合部３１及び第二係合部３２と、該第一係合部３１と第二係合部３２との間に連設されてケーブル３に巻き付くループ部３３とを有する固定部３０とを備えている。
【００２７】
そして、前記ループ部３３は、前記第一係合部３１及び第二係合部３２に対して折れ曲がった姿勢に成形されている。また、前記ループ部３３を構成する部材が交差するように構成されている。また、第一巻掛部１０と第二巻掛部２０は、固定部３０から同一方向に向けられている。また、第一係合部３１及び第二係合部３２は、湾曲状に成形されている。
【００２８】
ここで、このケーブル用の巻付バインドを用いてケーブル３を碍子１００に固定する方法について説明する。
【００２９】
巻付バインドは、通常の状態において、図１に示すように、ループ部３３を構成する部材が交差して構成されていることにより、ループ部３３がケーブル３を巻き付いた状態とすることができない。
【００３０】
そこで、巻付バインドは、図２に示すように、第一巻掛部１０を第二巻掛部２０の方へ変位し、第二巻掛部２０を第一巻掛部１０の方へ変位し、さらに、第一巻掛部１０と第二巻掛部２０とを離反させることで、第一係合部３１の基端部３１ａと第二係合部３２の基端部３２ａとを離間させ、ループ部３３を構成する部材が交差しない状態としてループ部３３内にケーブル３を挿し込む。
【００３１】
その後、第一巻掛部１０と第二巻掛部２０とを図１に示すような通常の状態に戻し、ループ部３３を構成する部材が交差した状態とする。このループ部３３は、ケーブル３のほぼ全周に巻き付いて括るような状態となる。
【００３２】
そして、図３に示すように、ケーブル３を碍子１００の頂部に形成された溝部１２４に嵌めるとともに、巻付バインドの第一係合部３１を碍子１００の首部１２２の外周のうちの半周に沿って配置し、第二係合部３２を碍子１００の首部１２２の外周のうちの残りの半周に沿って配置する。
【００３３】
この状態において、ループ部３３は、前記第一係合部３１及び第二係合部３２に対して折れ曲がった姿勢に成形されているため、碍子１００の頂部の溝部１２４に嵌められたケーブル３に食い込んだり、ケーブル３を撓めたりすることを抑制することができる。
【００３４】
そして、巻付バインドは、第一係合部３１の基端部３１ａと第二係合部３２の基端部３２ａとが近接し、第一巻掛部１０の基端１２と第二巻掛部２０の基端２２とが交差することで、第一係合部３１と第二係合部３２が碍子１００の首部１２２に沿って括り付けられる状態となる。
【００３５】
そして、第一巻掛部１０の第一螺旋部１１が碍子１００の他方側に延びたケーブル３に巻き付けられ、第二巻掛部２０の第二螺旋部２１が第一螺旋部１１と同じ向きで碍子１００の他方側に延びたケーブル３に巻き付けられる。
【００３６】
したがって、この巻付バインドは、第一係合部３１と第二係合部３２とが碍子１００の首部１２２に巻き付き、ループ部３３が碍子１００から一方側に延びたケーブル３を保持し、第一巻掛部１０及び第二巻掛部２０が碍子１００から他方側に延びたケーブル３を保持する状態となる。
【００３７】
したがって、第一巻掛部１０及び第二巻掛部２０の先端１３，２３近傍に配置されたクランパ（図示せず）によってケーブル３が保持され、このケーブル３が第一巻掛部１０及び第二巻掛部２０の先端１３，２３よりもさらに先側で斜め下向きに傾いた姿勢となっても、碍子１００から一方側に延びたケーブル３がループ部３３に保持されているため、ケーブル３が碍子１００の溝部１２４から浮き上がることなく固定される。
【００３８】
本発明は、上記実施の形態に限定することなく、本発明の要旨を逸脱しない範囲で、種々変更することができる。例えば、上記実施の形態では、ループ部３３が第一係合部３１及び第二係合部３２に対して予め折れ曲がった姿勢に成形した。しかし、ループ部３３は、ケーブル３に巻き付けた後に、第一係合部３１及び第二係合部３２に対して折れ曲がるように成形してもよい。
【００３９】
また、上記実施の形態では、ループ部３３を構成する部材が交差して構成されることで、ループ部３３がケーブル３のほぼ全周に巻き付くようにした。しかし、ループ部３３を構成する部材は、交差することなく、ケーブル３の半周だけで巻くようにしてもよい。
【００４０】
また、上記実施の形態では、第一巻掛部１０と第二巻掛部２０とが固定部３０から同一方向に向けられように成形した。しかし、巻付バインドは、第一巻掛部１０と第二巻掛部２０がループ部３３を中心にして反対方向に向けられようにしてもよい。この巻付バインドにあっては、ループ部３３がケーブル３に巻き付き、第一係合部３１又は第二係合部３２が碍子１００の首部１２２に半周沿わせたのち、第二係合部３２又は第一係合部３１が碍子１００の首部１２２の残りの半周に沿わせる。
【００４１】
また、上記実施の形態では、第一係合部３１と第二係合部３２は、湾曲状に成形され、碍子１００の首部１２２のうちの半周と残りの半周とに沿うようにした。しかし、第一係合部３１と第二係合部３２は、環状に成形され、碍子１００の首部１２２を１周以上に巻き付けるようにしてもよい。
【符号の説明】
【００４２】
３………ケーブル
１０……第一巻掛部
１１……第一螺旋部
１２……基端
１３……先端
２０……第二巻掛部
２１……第二螺旋部
２２……基端
２３……先端
３０……固定部
３１……第一係合部
３２……第二係合部
３３……ループ部
１００…碍子
１２２…首部
１２３…頭部
１２４…溝部
【図１】
0005946876.tif 000002
【図２】
0005946876.tif 000003
【図３】
0005946876.tif 000004
【図４】
0005946876.tif 000005
【図５】
0005946876.tif 000006